(57)【要約】【課題】分電盤の新規追加等が生じた場合に、新規分電盤の電力データをリアルタイムで反映させることができる電力データ管理システムを提供することを目的とする。【解決手段】アプリケーションサーバ４０に、新規分電盤情報が入力されたときに、分電盤２１０に関連する関連マスター８０に情報を登録し、電力データ管理に反映させる電力データ管理システム３０であって、  前記関連マスターは、分電盤マスター８１と、ブレーカマスター８２と、計測ユニットマスター８３を含み、  前記アプリケーションサーバに、新規分電盤特定情報が入力されたときには、前記分電盤マスターに情報を登録し、  前記アプリケーションサーバに、ブレーカ情報及び計測ユニット情報を含む個別詳細情報が入力されたときには、前記ブレーカマスター及び前記計測ユニットマスターに情報を登録し、  登録された各マスターの情報に基づいて、前記新規分電盤を登録し、前記新規分電盤も含めて電力データ管理を行う。【選択図】図６
2011065424.tif 000002
【特許請求の範囲】
【請求項１】
上位システムからの通知を受信するとともに、該上位システムからの要求に応じた電力データの提供を行うアプリケーションサーバと、データを保存管理するデータ管理サーバと、データの収集を行うデータ収集サーバとを有し、前記アプリケーションサーバに、新たに設備として追加される新規分電盤に関する情報が入力されたときに、前記データ管理サーバの分電盤に関連するデータを保存する関連マスターの設備情報をリアルタイムで更新し、電力データ管理に反映させる電力データ管理システムであって、
前記関連マスターは、分電盤情報を保存する分電盤マスターと、分電盤に実装されているブレーカの情報を保存するブレーカマスターと、分電盤のデータを計測する計測ユニットの情報を保存する計測ユニットマスターを含み、
前記アプリケーションサーバに、前記新規分電盤を特定する新規分電盤特定情報が入力されたときには、前記分電盤マスターに前記新規分電盤特定情報を登録し、
前記アプリケーションサーバに、前記新規分電盤に実装されたブレーカ情報及び前記新規分電盤に接続される計測ユニット情報を含む個別詳細情報が入力されたときには、前記ブレーカマスターに前記ブレーカ情報を登録するとともに、前記計測ユニットマスターに前記計測ユニット情報を登録し、
前記データ収集サーバは、登録された前記分電盤マスター、前記ブレーカマスター及び前記計測ユニットマスターの前記新規分電盤特定情報、前記ブレーカ情報及び前記計測ユニット情報に基づいて、前記新規分電盤をデータ収集対象として登録し、前記新規分電盤の電力データも含めて電力データ管理を行うことを特徴とする電力データ管理システム。
【請求項２】
前記データ管理サーバは、前記アプリケーションサーバからの設備構成の変更情報を受信する受信キューと、前記新規分電盤特定情報を受信する構成管理分電盤マスターと、該構成管理分電盤マスター及び前記関連マスターに保存された情報を展開する第１の構成情報展開処理手段を含み、
前記受信キューは、前記アプリケーションサーバから送信される前記新規分電盤特定情報及び前記個別詳細情報を受信し、
前記第１の構成情報展開処理手段は、前記受信キューを所定周期でポーリングし、前記受信キューが前記変更情報を受信したときに、前記構成管理分電盤マスター又は前記関連マスターに登録された情報を展開することを特徴とする請求項１に記載の電力データ管理システム。
【請求項３】
前記データ管理サーバは、前記データ収集サーバにおいて前記関連マスターに登録された情報を展開する展開指示情報を保存する展開要求キューを有し、
前記関連マスターに、前記個別詳細情報が入力されたときに、前記展開指示情報を前記展開要求キューに登録することを特徴とする請求項１又は２に記載の電力データ管理システム。
【請求項４】
前記データ収集サーバは、前記関連マスターに保存された情報を展開する第２の構成情報展開処理手段と、前記新規分電盤と前記計測ユニットとの接続情報を登録する分電盤管理マスターと、前記計測ユニットとの通信を行う通信ライブラリとを有し、
前記第２の構成情報展開処理手段は、前記展開キューを所定周期でポーリングし、前記展開指示情報を検出したときに、前記関連マスターに登録された情報を展開して前記分電盤管理マスターに前記新規分電盤と前記計測ユニットとの接続情報を登録し、
前記通信ライブラリは、前記計測ユニットからの接続要求を受信し、前記分電盤管理マスターに保存された接続情報と前記計測ユニットが一致したときには、前記新規分電盤と前記計測ユニットとの接続を行うことを特徴とする請求項３に記載の電力データ管理システム。
【請求項５】
前記アプリケーションサーバは、受信データ処理手段を有し、
該受信データ処理手段は、上位システムからの受信データを解析し、ＳＯＡＰメッセージにより前記データ管理サーバに前記新規分電盤に関する情報を送信することを特徴とする請求項１乃至４のいずれか一項に記載の電力データ管理システム。
【請求項６】
前記データ管理サーバは、分電盤に実装されたブレーカの電力量を、階層的に所定の演算順序で順次算出する項目間演算式が保存された項目間演算テーブルと、
前記第２の構成情報展開処理手段が、前記ブレーカマスターに登録された前記ブレーカ情報を展開したときに、前記ブレーカ情報を前記項目間演算式に反映させる項目間演算処理手段と、を含むことを特徴とする請求項１乃至５のいずれか一項に記載の電力データ管理システム。
【請求項７】
前記新規分電盤特定情報は、前記新規分電盤の登録ＩＤ及び前記新規分電盤の配置位置の情報を含むことを特徴とする請求項１乃至６のいずれか一項に記載の電力データ管理システム。
【請求項８】
前記アプリケーションサーバに、既に登録された分電盤の個別詳細情報を変更する変更情報が入力されたときには、前記受信データ処理手段により、前記関連マスターの該当変更部分が変更される処理が行われることを特徴とする請求項１乃至７のいずれか一項に記載の電力データ管理システム。
【請求項９】
前記アプリケーションサーバに、既に登録された分電盤を削除する削除情報が入力された場合には、前記受信データ処理手段により、前記関連マスターの該当箇所に削除フラグを書き込み、
前記データ収集サーバの前記通信ライブラリが、削除される分電盤と接続されていた計測ユニットの接続を切断する処理を行うことを特徴とする請求項１乃至８のいずれか一項に記載の電力データ管理システム。
【発明の詳細な説明】
【技術分野】
【０００１】
本発明は、電力データ管理システムに関し、特に、新たな分電盤が設備として追加されたときに、設備情報をリアルタイムで更新し、新たな分電盤の電力データもリアルタイムで電力データ管理に反映させる電力データ管理システムに関する。
【背景技術】
【０００２】
従来から、計算機システムを構成する処理装置群、入出力機器群、及びその他の機器群の物理的配置の設計を支援するとともに、当該計算機システムのオペレーティングシステムが必要とする構成パラメータを生成する、計算機を用いた構成管理支援方法及び複合計算機が知られている（例えば、特許文献１参照）。
【０００３】
かかる特許文献１に記載の構成管理支援方法は、上述の諸機器の妥当な設置位置を、表示装置に表示された設置領域の図面を用いて、利用者との対話的な動作により決定するステップと、設置位置が決定された諸機器のためのケーブル接続が利用者により指示されたことに応答して、その接続の妥当性を検査するステップと、設置位置が決定された諸機器の特性と、妥当性の検査を通ったケーブル接続とに基づいて、計算機システムのオペレーティングシステムが使用する構成定義パラメータを生成するステップとを有し、計算機システムの新規設置又は既存計算機システムの部分的変更に際して必要な種々の知的作業を、計算機を用いて支援している。これにより、計算機システムの新規導入又は機器移設の際に必要な、各機器の設置位置、諸機器間の接続関係、各種ケーブルの種類と長さと接続先等の情報を含む作業指示書の作成を容易にし、担当のシステムエンジニアの労力を軽減させている。
【先行技術文献】
【特許文献】
【０００４】
【特許文献１】特開平８−３６５９２号公報
【発明の概要】
【発明が解決しようとする課題】
【０００５】
しかしながら、上述の特許文献１に記載の構成では、諸機器のレイアウトやケーブルの布線の決定、及びこれらの図面の作成等の、物理的な配置設計に関するシステムエンジニアの労力を軽減することは可能であるが、配置及び接続後の電力データの管理については、個々の電力管理項目を新たに登録して割り当てる必要がある。よって、エンジニアの電力データ管理の設定に関する労力は、何ら軽減することができないという問題があった。
【０００６】
そこで、本発明は、計算機等の情報機器に電力を供給している分電盤が新規に追加、又は既存の分電盤が削除されたり変更が生じたりした場合に、これらの分電盤の電力データを、既存の電力データ管理システムにリアルタイムで反映させることができる電力データ管理システムを提供することを目的とする。
【課題を解決するための手段】
【０００７】
上記目的を達成するため、第１の発明に係る電力データ管理システムは、上位システムからの通知を受信するとともに、該上位システムからの要求に応じた電力データの提供を行うアプリケーションサーバと、データを保存管理するデータ管理サーバと、データの収集を行うデータ収集サーバとを有し、前記アプリケーションサーバに、新たに設備として追加される新規分電盤に関する情報が入力されたときに、前記データ管理サーバの分電盤に関連するデータを保存する関連マスターの設備情報をリアルタイムで更新し、電力データ管理に反映させる電力データ管理システムであって、
前記関連マスターは、分電盤情報を保存する分電盤マスターと、分電盤に実装されているブレーカの情報を保存するブレーカマスターと、分電盤のデータを計測する計測ユニットの情報を保存する計測ユニットマスターを含み、
前記アプリケーションサーバに、前記新規分電盤を特定する新規分電盤特定情報が入力されたときには、前記分電盤マスターに前記新規分電盤特定情報を登録し、
前記アプリケーションサーバに、前記新規分電盤に実装されたブレーカ情報及び前記新規分電盤に接続される計測ユニット情報を含む個別詳細情報が入力されたときには、前記ブレーカマスターに前記ブレーカ情報を登録するとともに、前記計測ユニットマスターに前記計測ユニット情報を登録し、
前記データ収集サーバは、登録された前記分電盤マスター、前記ブレーカマスター及び前記計測ユニットマスターの前記新規分電盤特定情報、前記ブレーカ情報及び前記計測ユニット情報に基づいて、前記新規分電盤をデータ収集対象として登録し、前記新規分電盤の電力データも含めて電力データ管理を行うことを特徴とする。
【０００８】
これにより、２段階の新規分電盤に関する情報から、電力データ管理に適切なデータ分類がなされている関連マスターに、新規分電盤に関する情報を適切に分配することができ、電力データ管理に必要な変更処理を行うことができる。
【０００９】
第２の発明は、第１の発明に係る電力データ管理システムにおいて、
前記データ管理サーバは、前記アプリケーションサーバからの設備構成の変更情報を受信する受信キューと、前記新規分電盤特定情報を受信する構成管理分電盤マスターと、該構成管理分電盤マスター及び前記関連マスターに保存された情報を展開する第１の構成情報展開処理手段を含み、
前記受信キューは、前記アプリケーションサーバから送信される前記新規分電盤特定情報及び前記個別詳細情報を受信し、
前記第１の構成情報展開処理手段は、前記受信キューを所定周期でポーリングし、前記受信キューが前記変更情報を受信したときに、前記構成管理分電盤マスター又は前記関連マスターに登録された情報を展開することを特徴とする。
【００１０】
これにより、新規分電盤の情報を、所定周期で確認するので、新規分電盤の追加に伴う電力データ管理システムの変更処理をほぼリアルタイムで行うことができる。
【００１１】
第３の発明は、第１又は第２の発明に係る電力データ管理システムにおいて、
前記データ管理サーバは、前記データ収集サーバにおいて前記関連マスターに登録された情報を展開する展開指示情報を保存する展開要求キューを有し、
前記関連マスターに、前記個別詳細情報が入力されたときに、前記展開指示情報を前記展開要求キューに登録することを特徴とする。
【００１２】
これにより、下流側のデータ収集サーバに対して、関連マスターに新規の情報が登録されたことを確実に伝達することができる。
【００１３】
第４の発明は、第３の発明に係る電力データ管理システムにおいて、
前記データ収集サーバは、前記関連マスターに保存された情報を展開する第２の構成情報展開処理手段と、前記新規分電盤と前記計測ユニットとの接続情報を登録する分電盤管理マスターと、前記計測ユニットとの通信を行う通信ライブラリとを有し、
前記第２の構成情報展開処理手段は、前記展開キューを所定周期でポーリングし、前記展開指示情報を検出したときに、前記関連マスターに登録された情報を展開して前記分電盤管理マスターに前記新規分電盤と前記計測ユニットとの接続情報を登録し、
前記通信ライブラリは、前記計測ユニットからの接続要求を受信し、前記分電盤管理マスターに保存された接続情報と前記計測ユニットが一致したときには、前記新規分電盤と前記計測ユニットとの接続を行うことを特徴とする請求項３に記載の電力データ管理システム。
【００１４】
これにより、関連マスターに保存された新規分電盤に関する情報を、データ収集サーバがリアルタイムで入手することができるとともに、計測ユニットと分電盤の接続を確実・迅速に自動的に行うことができる。
【００１５】
第５の発明は、第１〜４のいずれかの発明に係る電力データ管理システムにおいて、
前記アプリケーションサーバは、受信データ処理手段を有し、
該受信データ処理手段は、上位システムからの受信データを解析し、ＳＯＡＰメッセージにより前記データ管理サーバに前記新規分電盤に関する情報を送信することを特徴とする。
【００１６】
これにより、情報解析能力があり、汎用性の高い通信プロトコルを用いて情報の伝達を行うことができ、電力データ管理システム内及び上位システム間との通信を容易かつ適切に行うことができる。
【００１７】
第６の発明は、第１〜５のいずれかの発明に係る電力データ管理システムにおいて、
前記データ管理サーバは、分電盤に実装されたブレーカの電力量を、階層的に所定の演算順序で順次算出する項目間演算式が保存された項目間演算テーブルと、
前記第２の構成情報展開処理手段が、前記ブレーカマスターに登録された前記ブレーカ情報を展開したときに、前記ブレーカ情報を前記項目間演算式に反映させる項目間演算処理手段と、を含むことを特徴とする。
【００１８】
これにより、ラック列毎、アイル毎、サーバ室毎、フロア毎、建物毎といった階層的な電力データ管理を行う場合においても、新規分電盤の結果を直ちに反映させることができる。
【００１９】
第７の発明は、第１〜６のいずれかの発明に係る電力データ管理システムにおいて、
前記新規分電盤特定情報は、前記新規分電盤の登録ＩＤ及び前記新規分電盤の配置位置の情報を含むことを特徴とする請求項１乃至６のいずれか一項に記載の電力データ管理システム。
【００２０】
これにより、新規分電盤特定情報において、対象の分電盤が何であり、どこに設置されるかの情報を得ることができ、新規に追加された新規分電盤を確実に特定することができる。また、一旦新規分電盤を特定してから、個別詳細情報において、分電盤の実装内容と他の設備との関係に関する情報を得ることができるので、新規分電盤についての情報分類を容易にすることができるとともに、２段階の情報で、新規分電盤の必要な情報を確実に入手することができる。
【００２１】
第８の発明は、第１〜７のいずれかの発明に係る電力データ管理システムにおいて、
前記アプリケーションサーバに、既に登録された分電盤の個別詳細情報を変更する変更情報が入力されたときには、前記受信データ処理手段により、前記関連マスターの該当変更部分が変更される処理が行われることを特徴とする。
【００２２】
これにより、分電盤に実装されたブレーカの定格電流のみが変更される場合にも、条件の変更を適切に反映させて電力データ管理を行うことができる。
【００２３】
第９の発明は、第１〜８のいずれかの発明に係る電力データ管理システムにおいて、
前記アプリケーションサーバに、既に登録された分電盤を削除する削除情報が入力された場合には、前記受信データ処理手段により、前記関連マスターの該当箇所に削除フラグを書き込み、
前記データ収集サーバの前記通信ライブラリが、削除される分電盤と接続されていた計測ユニットの接続を切断する処理を行うことを特徴とする。
【００２４】
これにより、物理的なケーブルの接続切断等を行うことなく、論理回路演算により分電盤の削除を処理することができ、容易に電力データ管理に反映させることができる。
【発明の効果】
【００２５】
本発明によれば、分電盤の新規追加、変更、削除等があったときに、これらの変更をオンラインにリアルタイムで、自動的に電力データ管理に反映させることができる。
【図面の簡単な説明】
【００２６】
【図１】本実施例に係る電力データ管理システム３０の全体構成の一例を示した図である。
【図２】電力供給施設１５０の全体構成の一例を示した図である。図２（ａ）は、電力供給施設１５０のフロア構成の一例を示した図である。図２（ｂ）は、３階フロア１６０の内部構成の一例を示した図である。図２（ｃ）は、第３サーバ室１６３の内部構成の一例を示した図である。
【図３】構成管理システム２０から構成管理情報マスター６０に送られる情報の一例を示した図である。
【図４】コンセントとブレーカの関係の一例を示した図である。
【図５】按分演算テーブル９２の演算処理内容の一例を説明するための図である。
【図６】本実施例に係る電力データ管理システム３０の分電盤２１０の新規追加に関連する構成要素を中心に示した全体構成図の一例である。
【図７】ＴＡＧコードの一例を示した図である。図７（ａ）は、ＴＡＧコードの用途及びＴＡＧコードの一例を示した図である。図７（ｂ）は、計測データの属性の一例を示した図である。
【図８】ＴＡＧコードの別の一例を示した図である。図８（ａ）は、ＴＡＧコードの用途及びＴＡＧコードの一例を示した図である。図８（ｂ）は、計測データの属性の一例を示した図である。
【図９】本実施例に係る電力データ管理システム３０に、新規分電盤２１０が組み込まれるまでの処理フローの一例を示したフローチャートである。
【図１０】本実施例に係る電力データ管理システム３０のデータ収集後の処理フローの一例を示したフローチャートである。
【発明を実施するための形態】
【００２７】
以下、図面を参照して、本発明を実施するための形態の説明を行う。
【００２８】
図１は、本発明の実施例に係る電力データ管理システム３０の全体構成の一例を示した図である。図１において、本実施例に係る電力データ管理システム３０は、アプリケーションサーバ４０と、データ管理サーバ５０と、データ収集サーバ１１０とを備える。また、本実施例に係る電力データ管理システム３０に関連する上位サーバとして、統合運用システム１０と、構成管理システム２０とが備えられてよい。更に、本実施例に係る電力データ管理システム３０の関連構成要素として、計測ユニット１２０が備えられてよい。
【００２９】
統合運用システム１０は、電力システム全体を総合的に管理するマスター管理システムであり、全体統括、意思決定を行うための集約情報を管理する。統合運用システム１０は、電力システムが導入されている施設全体の温度及び電力を管理し、発熱分布図、ラック搭載率、実測電力分布図というような、電力システムの全体の傾向や状況を把握するのに必要なグラフィック表示等による管理が可能となっている。
【００３０】
構成管理システム２０は、設備構成に関する情報を統括的に管理するためのシステムである。構成管理システム２０は、設備の新規追加、変更、削除等の設備構成に関する情報を管理し、顧客情報やラック搭載情報等も管理する。
【００３１】
電力データ管理システム３０は、電力に関する種々のデータを、観測可能な状態で管理するためのシステムである。本実施例に係る電力データ管理システム３０においては、ＩＴ（Information  Technology）機器に電力を供給する電力システムにおける電力データを管理する例を挙げて説明する。本実施例に係る電力データ管理システム３０においては、電力データは、施設、フロア、サーバ室といった大きなレベルだけではなく、更に、サーバ室内のエリア、ラック及び分電盤が配列されたアイル、アイルを構成するラック列というように、小さな単位で電力データの管理が可能なシステムを構築している。これにより、小さな単位で電力分布等を把握することができ、詳細できめ細かな電力管理を行うことができる。よって、詳細な電力管理結果に基づいて、省エネルギーを図りつつ、電力を適切にＩＴ機器に供給するような具体的な対策を立てることが可能となる。
【００３２】
図２は、本実施例に係る電力データ管理システム３０が管理する電力供給施設１５０の全体構成の一例を示した図である。図２（ａ）は、電力供給施設１５０のフロア構成の一例を示した図である。図２（ａ）に示すように、電力供給施設１５０は、５階建ての棟であり、３〜５階が、電力供給の対象となるＩＴ機器が存在するサーバ室を有している。よって、電力供給施設１５０を管理するためには、３つのフロアの電力を管理する必要がある。
【００３３】
図２（ｂ）は、３階フロア１６０の内部構成の一例を示した図である。３階フロア１６０の内部構成は、３つのサーバ室１６１〜１６３と、機械室１６４と、共有スペース１６５とからなる。このうち、ＩＴ機器はサーバ室１６１〜１６３に存在するので、３階フロア１６０の電力を管理するためには、３つのサーバ室１６１〜１６３を管理する必要があることが分かる。
【００３４】
図２（ｃ）は、第３サーバ室１６３の内部構成の一例を示した図である。図２（ｃ）に示すように、第３サーバ室１６３は、第１エリア１７１と、第２エリア１７２と、第３エリア１７３の３つのエリアを含む。また、第１エリア１７１はアイル１８１〜１８３、第２エリア１７２はアイル１８４〜１８６、第３エリア１７３はアイル１８７〜１８９と、各エリア１７１〜１７３が各々３つのアイル１８１〜１８３、１８４〜１８６、１８７〜１８９を含む構成となっている。
【００３５】
また、各アイル１８１〜１８９は、２つの冷送風機１９０と２つのラック列２００を含んでいる。更に、各ラック列２００は、２つの分電盤２１０と、３つ以上の複数のラック２２０を含んでいる。
【００３６】
このように、第３サーバ室１６３には、１８列のラック列２００が含まれ、更に１つのラック列２００には、２つの分電盤２１０と、３つ以上のラック２２０が含まれているため、分電盤単位、ラック単位で電力を管理しようとすると、非常に多数の電力データを管理する必要がある。また、図２（ｃ）に示した第３サーバ室１６３と同様の第１サーバ室１６１及び第２サーバ室１６２が３階フロア１６０には含まれ、更にこのようなサーバ室１６１〜１６３が、３〜５階の３フロア分存在するので、扱う電力データ量は膨大な数となる。
【００３７】
よって、例えば、分電盤２１０が新規に追加された場合には、このような膨大な電力データを扱う電力システムの体系内に、新たに追加された分電盤２１０を組み込む必要がある。本実施例に係る電力データ管理システム３０においては、このような、新規に分電盤２１０が追加された場合に、追加前の電力データ管理システムに対し、自動的にリアルタイムで、新規追加の分電盤２１０を含めて電力データ管理を行うことができるシステムとして構成されている。
【００３８】
図１に戻り、本実施例に係る電力データ管理システム３０の個々の構成要素についての説明を行う。
【００３９】
アプリケーションサーバ４０は、電力データ管理システム３０で管理するデータを、上位システム１０、２０へ提供するとともに、上位システム１０、２０から、設備構成の変更の通知があった場合には、データ管理サーバ５０に必要な情報の提供を行うためのサーバである。アプリケーションサーバ４０は、共通受信データ処理手段４１と、個別受信データ処理手段４２と、構成管理情報展開手段４４と、Ｗｅｂ機能部４５とを有する。
【００４０】
共通受信データ処理手段４１は、構成管理システム２０から、構成管理の追加・変更・削除が通知された場合に、追加・変更・削除の対象となっている構成管理対象物を特定する情報を受信し、この情報を構成管理情報マスター６０に提供するための手段である。構成管理情報は、構成管理システム２０で管理しているので、構成管理物の新規登録等があった場合には、統合運用システム１０から構成管理システム２０に一旦構成管理情報が送信され、構成管理システム２０からアプリケーションサーバ４０に情報が提供される。
【００４１】
個別受信データ処理手段４２は、追加・変更・削除の対象となっている構成管理対象物の個別詳細情報を統合運用システム１０から受信し、必要な処理を行うための手段である。例えば、分電盤２１０が新規追加された場合には、個別受信データ処理手段４２は、分電盤２１０に含まれているブレーカの個数、ブレーカのラック割り当て等の、個別具体的な情報を受信する。
【００４２】
なお、共通受信データ処理手段４１及び個別受信データ処理手段４２は、いずれも上位システム１０、２０からの受信データを処理する手段であるので、機能を適切に分割できれば、一体的に構成されてもよい。
【００４３】
また、共通受信データ処理手段４１及び個別受信データ処理手段４２においては、ＳＯＡ（Service-Oriented  Architecture、サービス指向アーキテクチャ）によりサービス単位でアプリケーションが構成されてよい。
【００４４】
構成管理情報展開手段４４は、個別受信データ処理手段４２が受信した個別詳細データを解析し、個別詳細データの内容を展開するための手段である。よって、構成管理情報展開手段４４で展開された構成管理対象の種々の情報は、データ管理マスター６０を介さず、直接ブレーカマスター８２及び計測ユニットマスター８３に直接的に展開・入力される。
【００４５】
Ｗｅｂ機能部４５は、画面にＷｅｂ画面を生成し、種々の情報をユーザに提供する手段である。上述のように、Ｗｅｂ機能部４５は、フロア配置や、電力のグラフィック表示を行う。また、ブレーカ割り当て画面４６も、Ｗｅｂ機能部４５により生成されてよい。
【００４６】
データ管理サーバ５０は、電力データを保存及び管理するとともに、保存した電力データを用いて、種々の単位のデータ演算を行うための手段である。データ管理サーバ５０は、構成管理情報マスター６０と、第１の構成管理情報展開手段７０と、関連マスター８０と、各演算テーブル９１〜９３と、データ保存手段１００を備える。
【００４７】
構成管理情報マスター６０は、設備又は情報の種類に応じて、構成管理分電盤マスター６１と、構成管理ラックマスター６２と、構成管理他機器マスター６３と、構成管理配置マスター６４と、構成管理顧客マスター６５と、構成管理電力系統マスター６６とを有する。構成管理情報マスター６０は、構成管理情報の追加・変更・削除があった場合に、共通受信データ処理手段４１から、該当する構成管理情報について、構成管理情報を受信する。よって、例えば、新たな分電盤が追加された場合には、上位システムの構成管理システム２０から、受信データ処理手段４１に、新規分電盤２１０を特定する情報が送信され、構成管理分電盤マスター６１に受信した情報が保存される。また、例えば、新たなラック２２０が追加された場合には、受信データ処理手段４１から、構成管理ラックマスター６２に、受信した情報が保存される。
【００４８】
構成管理情報マスター６０に保存される情報は、追加・変更・削除があった設備等の配置場所と、当該設備を特定するＩＤ情報である。
【００４９】
図３は、そのような、構成管理システム２０から構成管理情報マスター６０に送られる情報の一例を示した図である。図３において、通し番号と、コード種類と、コード内容と、備考情報が示されている。コード種類の欄を見ると分かるように、番号１〜６が配置に関する情報であり、番号７〜１４が、各設備のＩＤ情報となっている。このように、追加・変更・削除のなされた設備が、どの場所に配置された設備であり、どのＩＤ番号が割り当てられた設備であるかの情報を特定することにより、対象となる設備を特定することができる。
【００５０】
なお、構成管理情報マスター６０に保存されるデータ形式は、構成管理システム４１が保持しているデータ形式と同じであり、構成管理情報マスター６０には、構成管理システム４１で保存されているデータ形式でそのままコピーされる。
【００５１】
図１に戻る。第１の構成情報展開処理手段７０は、構成管理情報マスター６０を参照し、その内容を関連マスター８０に展開するための手段である。構成管理情報マスター６０に保存されている情報は、例えば、図３に示したような追加・変更設備の配置及びＩＤ情報であるので、第１の構成情報展開処理手段７０において、そのような情報を読み出す。なお、第１の構成情報展開処理手段７０は、ＣＰＵ（Central  Processing  Unit、中央処理装置）として構成され、構成管理情報展開処理のプログラムを読み込み、構成管理情報展開処理を実行してよい。
【００５２】
関連マスター８０は、データ管理システム３０がデータ管理を行い易い状態で、必要なデータを保存する手段である。上述のように、構成管理情報マスター６０は、構成管理システム２０の情報をそのままコピーしたものであり、必ずしも電力データの管理に適切なデータ形式とはなっていない。そこで、関連マスターでは、データ管理を行い易い形式で、構成管理情報を再分配する。まず、構成管理情報マスター６０に保存された情報は、第１の構成情報展開処理手段７０により参照され、読み出された情報に応じて、関連マスター８０に展開・保存される。例えば、構成管理分電盤マスター６１に保存された情報は、第１の構成情報展開処理手段７０により参照され、分電盤マスター８１に展開・保存される。同様に、構成管理ラックマスター６２に保存された情報は、第１の構成情報展開処理手段７０により参照され、ランクマスター８４に展開・保存される。また、他機器管理情報マスター６３に保存された情報は、計測機器マスター８５に保存され、配置管理配置情報マスター６４に保存された情報は、配置マスター８７に保存され、構成管理顧客情報マスター６５に保存された情報は、顧客マスター８８に各々展開処理されて保存される。同様に、電源系統構成管理情報マスター６６に保存された情報は、ＵＰＳ（Uninterruptible  Power  Supply、無停電電源装置）マスター８９及びバスダクトマスター９０に保存される。なお、ＵＰＳは、入力電源に停電等の異常が発生しても、一定時間は停電することなく電力を供給し続ける電源装置である。また、バスダクトは、銅、アルミ等の導体の外側を絶縁物で覆った電力幹線用の部材で、１０００Ａ以上の大電流送電が可能な部材である。
【００５３】
なお、コンセントマスター８６は、ブレーカマスター８２と紐付けられ、２つ併せて給電情報を提供する。
【００５４】
図４は、コンセントとブレーカの関係の一例を示した図である。図４において、分電盤２１０が右側に、ラック２２０が左側に示されている。分電盤２１０側が、電力系統情報を示しており、ラック２２０側が、建屋構成情報を示している。つまり、分電盤２１０側が電力供給側であり、ラック２２０側が、電気負荷側である。分電盤２１０は、１つの主幹ブレーカ２１１と、４２個の配電ブレーカ２１２を備えている。配電ブレーカ２１２は、各々にラック２２０のコンセント２２１が割り当てられ、コンセント２２１に配電ブレーカ２１２から電力が供給される構成となっている。コンセント２２１には、種々のＩＴ機器等の電気負荷が接続され、配電ブレーカ２１２からの電源供給により動作し、所定の機能を実現するようになっている。
【００５５】
また、ブレーカ２１１、２１２は、計測ユニット１２０により、有効電力量、無効電力量、有効電力、無効電力、各相の電流、各相の電圧（主幹ブレーカ２１１のみ）等が測定され、これらのデータが管理される。計測ユニット１２０は、各分電盤２１０に対し、各々計測ユニット１２０が対応して設けられる。よって、各分電盤毎に、上述のデータが計測及び管理されることになる。
【００５６】
一方、ラック２２０側では、各コンセント２２１の有効電力量と無効電力量が管理される。コンセント２２１の消費電力量は、配電ブレーカ２１２の供給電力と等しいので、配電ブレーカ２１２側のデータをそのままコピーしてよい。このように、分電盤２１０内の配電ブレーカ２１２と、ラック２２０内のコンセント２２１は、対応関係があり、これらを正確に把握してデータ管理を行う必要がある。
【００５７】
また、顧客は、ラック２２０を単位として電力供給の契約を行っているので、どのラック２２０がどの顧客のものであるかも把握する必要がある。そして、電気負荷側では、有効電力量と無効電力量について、図２において説明したラック列２００、アイル１８１〜１８９、エリア１７１〜１７３、サーバ室１６１〜１６３、フロア１６０、サイト（電力供給施設１５０）といった単位で、階層単位別に合計電力量を管理している。これらの階層の関係は、下位の階層の電力量を合計すると、上位の階層の電力量が算出される関係にある。つまり、図２において示したように、各ラック列２００内の全ラック２２０の電力量を合計すると、各ラック列２００の電力量が算出される。次いで、各アイル１８１〜１８９内のラック列２００の電力量を合計すると、アイル１８１〜１８９毎の電力量が算出される。次いで、アイル１８１〜１８３の電力量を合計すると、第１エリア１７１の電力量が算出される。同様に、第２エリア１７２及び第３エリア１７３の電力量を算出し、総てのエリア１７１〜１７３の電力量を合計すると、第３サーバ室１６３の電力量が算出される。同様に、第１サーバ室１６１及び第２サーバ室１６２の電力量を算出し、総てのサーバ室１６１〜１６３の電力量を合計すると、３階フロア１６０の電力量が算出される。次いで、４階フロア及び５階フロアについても、同様に電力量を算出し、３階〜５階の総ての電力量を合計すると、電力供給施設１５０の電力量が算出される。このように、上位の階層の電力量を算出するためには、下位の階層の電力量の合計が必要となるので、演算順序を適切に定めて必要な電力データを管理する必要がある。本実施例に係る電力データ管理システム３０においては、設備の変更があっても、変更した設備も含めて、このような演算処理を自動的にシステムに組み込んで行えるようにしている。
【００５８】
同様に、電力供給側でも、有効電力及び無効電力については、バスダクト、ＵＰＳグループ、電源系統といった階層を設けて、電力量を管理している。つまり、各分電盤２１０内のブレーカ２１１、２１２の電力量の合計から、各分電盤２１０の電力量が算出される。同様に、分電盤２１０の電力量の合計から、バスダクトの電力量の合計が算出され、バスダクトの電力量の合計からＵＰＳグループの電力量が算出され、更に、ＵＰＳグループの電力量の合計から、電源系統の電力量の合計が算出される。このように、上位の階層の電力量を算出するためには、下位の階層の電力量をまず算出する必要がある点は、電気負荷側（ラック２２０側）と同様である。
【００５９】
従って、例えば、分電盤２１０が追加された場合には、分電盤２１０内のブレーカ２１１、２１２についての情報、配電ブレーカ２１２が対応しているコンセント２２１とラック２２０の情報、ブレーカ２１１、２１２のデータを測定する計測ユニット１２０の情報が発生するので、これらの関係をデータ管理に組み込む必要がある。つまり、新規に追加された分電盤２１０の電力データの管理を行うためには、分電盤２１０の情報に、これらの個別詳細情報を紐付けて、関係を明らかにする処理を行う必要がある。更に、上述のような、階層的な電力量の管理を行う場合には、これらの演算処理の中にも、新規に追加された分電盤２１０の情報を組み込む必要がある。
【００６０】
図１に戻る。図１において、ブレーカマスター８２と、コンセントマスター８６は、各々ブレーカ２１１、２１２に関する情報と、コンセント２２１に関する情報を、単独で持っている。ところが、図４において説明した関係が示すように、電力データの管理のためには、これらの対応付けの処理が必要である。具体的な対応付けの処理は、データ収集サーバ１１０で行うが、データ管理サーバ５０の関連マスター８０においては、そのような対応付けの処理が行い易いデータ形式で、各設備の情報を保存する。
【００６１】
各種演算テーブル９１、９２、９３は、電力データを管理するのに必要な演算を行うためのテーブルであり、項目間演算テーブル９１と、按分演算テーブル９２と、ＰＵＥ（Power  Usage  Effectiveness）換算テーブル９３とを有する。各種演算テーブル９１、９２、９３は、電力データ管理を行う項目に応じて、必要に応じて設けられてよい。
【００６２】
項目間演算テーブル９１は、図４において説明した、階層毎の電力データの管理を行うための演算テーブルである。つまり、項目間演算テーブル９１は、ラック２２０毎、分電盤２１０毎というような、項目毎の演算を行い、下位の階層の電力量が算出されたら、順次上位の階層について演算を行うような演算処理手順を定めたテーブルである。
【００６３】
按分演算テーブル９２は、空調電力や照明電力のように、必ずしも電力データを管理している単位と合致しない状態で電力を供給・消費している対象について、電力データ管理項目に合わせて電力を算出するための演算テーブルである。
【００６４】
図５は、按分演算テーブル９２の演算処理内容の一例を説明するための図である。図５は、空調機器における按分演算処理の内容の一例を示している。図５において、図２で説明したように、冷送風機１９０は、各アイル１８１〜１８９に２つずつ設けられ、各ラック列２００及び各ラック２２０への空調として寄与している。また、図示していないが、サーバ室１６１〜１６３とエリア１７１〜１７３の単位の間で局所空調室外機が設けられ、これも各ラック列２００及び各ラック２２０の空調に寄与している。更に、フロア１６０とサイト（電力供給施設１５０）の間の単位で蓄熱槽とフリークーリングが設けられ、これも各ラック列２００及び各ラック２２０に空調として寄与している。これらについては、ラック列２００よりも大きい単位でしか電力量を測定できないので、ラック列２００の空調として寄与している電力量を算出するためには、測定された単位の電力量を、ラック列２００単位で按分する必要がある。また、逆に、局所空調機のように、ラック列２００単位で空調電力の計測が可能なものについては、直接的にラック列２００に空調電力を加算する。そして、按分と加算により、ラック列２００の空調電力が算出されたら、これをラック２２０に按分することにより、ラック２２０単位での空調機器の電力量を算出することができる。このように、按分演算テーブル９２においては、測定が可能な電力量が、電力データ管理システム３０の管理項目単位と一致しない場合に、測定電力量を電力データ管理システム３０の管理項目に換算する演算処理を行う。
【００６５】
図１に戻る。ＰＵＥ演算テーブル９３は、データセンタやサーバ室の電力効率を示す指標の１つであるＰＵＥの演算を行うための演算テーブルである。ＰＵＥは、データセンタ、つまり電力供給施設１５０の全体の消費電力を、ＩＴ機器の消費電力で割った値であり、この値が小さければ、ＩＴ機器以外の電力消費が少なく、データセンタのＩＴ機器の動作のための電力効率が高いことを意味する。ＰＵＥを、電力データ管理システム３０の電力管理の１つとして用いる場合には、ＰＵＥ演算テーブル９３を備えるようにしてもよい。
【００６６】
データ保存手段１００は、取得された電力データを保存するための記憶手段である。データ保存手段１００は、データ管理の方法に応じて、種々のデータ保存手段１００が備えられてよい。図１においては、データ保存手段１００は、トレンドデータ保存手段１０１と、帳票データ保存手段１０２を備えている。トレンドデータ保存手段１０１は、数分毎、例えば、５分毎の電力データを保存するデータ保存手段である。また、帳票データ保存手段１０２は、１時間毎の電力データを保存するデータ保存手段である。その他、日報データや、月報データ、また、故障情報等、用途に応じて、データ保存手段１００は、種々のデータを保存するように構成されてよい。
【００６７】
次に、データ収集サーバ１１０の説明を行うが、図１においては、データ収集サーバ１１０での電力データの詳細な処理に関する構成については、省略している。よって、図１においては、データ収集サーバ１１０の概要について説明する。
【００６８】
データ収集サーバ１１０は、計測ユニット１２０により計測された電力データを、収集及び整理するためのサーバである。また、データ収集サーバ１１０は、計測ユニット１２０と、分電盤との接続管理も行う。データ収集サーバ１１０は、第２の構成管理情報展開処理手段１１１と、分電盤管理マスター１１２と、ラック管理マスター１１３と、データ収集定義登録手段１１４と、通信ライブラリ１１５と、データ保存処理手段１１６とを備える。
【００６９】
第２の構成管理情報展開手段１１１は、データ管理サーバ５０の関連マスター８０に保存された情報を展開するための手段である。図１においては、分電盤マスター８１、ブレーカマスター８２、計測ユニットマスター８３、ラックマスター８４及びコンセントマスター８６の情報を展開している。分電盤２１０が新規に追加された場合には、図４において説明したように、分電盤２１０に実装されたブレーカ２１１、２１２と、計測を行う計測ユニット１２０の情報を合わせて取得し、紐付け処理（対応付け処理）を行う必要がある。よって、第２の構成管理情報展開手段１１１は、分電盤２１０の新規追加があった場合には、分電盤マスター８１と同様に、ブレーカマスター８２及び計測ユニットマスター８３も展開し、新規追加された分電盤２１０との紐付け処理を行う。同様に、新規にラック２２０が追加された場合には、ラック２２０と、コンセント２２１との紐付けが必要であるので、ラックマスター８４とコンセントマスター８６の双方の構成管理情報展開処理を行う。
【００７０】
分電盤管理マスター１１２は、分電盤２１０と計測ユニット１２０との接続に必要な情報を保存する手段である。具体的には、新規に分電盤２１０が追加された場合には、分電盤２１０のＩＤと、計測ユニット１２０のＩＰ（Internet  Protocol）アドレスを含む情報が保存される。
【００７１】
ラック管理マスター１１３は、ラック２２０及びコンセント２２１と計測ユニット１２０との関係を示す情報を保存する手段である。計測ユニット１２０は、直接的には、分電盤２１０のブレーカ２１１、２１２の電力量を測定し、ラック２２０及びコンセント２２１は、ブレーカ２１１、２１２の電力データをコピーするが、どの配電ブレーカ２１２の電力データをどのラック２２０のどのコンセント２２１にコピーするのか紐付けを行う必要がある。よって、ラック管理マスター１１３は、配電ブレーカ２１２とコンセント２２１及びラック２２０との紐付け情報が保存される。
【００７２】
通信ライブラリ１１５は、計測ユニット１２０との通信を行うための手段である。通信ライブラリ１１５は、新規分電盤２１０が追加され、計測ユニット１２０から接続要求があったときには、分電盤マスター１１２に保存された情報との照合を行い、接続すべき計測ユニット１２０か否かの認証を行う。
【００７３】
データ収集定義登録手段１１４は、データ収集の際に、どのようなＩＤを付してデータ保存を行うかを定義する手段である。その詳細については、後述する。
【００７４】
データ保存処理手段１１６は、電力データの収集・保存処理を行うための手段である。図１においては、トレンドデータと帳票データが、トレンドデータ保存手段１０１及び帳票データ保存手段１０２に保存されているので、データ保存処理手段１１６は、データ収集定義登録手段１１４により定められたＩＤを付してデータ処理を行い、トレンドデータ保存手段１０１及び帳票データ保存手段１０２の各々のデータ保存を行う。
【００７５】
このように、本実施例に係る電力データ管理システム３０によれば、分電盤２１０やラック２２０の追加、コンセント２２１に対するブレーカ２１１、２１２の割り当ての変更等があった場合に、関連する設備との対応付けを行って登録し、データ収集処理に確実に反映させることができる。
【００７６】
次に、図１において説明した本実施例に係る電力データ管理システム３０において、分電盤の新規追加が行われた場合を例に挙げて、その具体的な処理フローの内容を詳細に説明する。
【００７７】
図６は、本実施例に係る電力データ管理システム３０の、分電盤２１０の新規追加を行う際に関連する構成要素を中心に示した、全体構成図の一例である。よって、図１と同様の構成要素には、同一の参照符号を付し、その説明を省略する。図６においては、処理フローの流れを中心に説明を行う。
【００７８】
図６において、本実施例に係る電力データ管理システム３０は、アプリケーションサーバ４０と、データ管理サーバ５０と、データ収集サーバ１１０とを備える。また、電力データ管理システム３０に関連する構成要素として、統合運用システム１０と、構成管理システム２０とが、上位システムとして備えられている。更に、計測ユニット１２０も、関連構成要素として備えられる。これらの構成は、図１と同様である。
【００７９】
まず、図中の（１）に示すように、統合運用システム１０において、分電盤２１０の新規追加を実施すると、構成管理システム２０へ分電盤２１０の情報登録が行われる。次いで、構成管理システム２０は、構成情報の変更通知を各システムに通知する。この場合、分電盤２１０の新規登録を各システムに通知することになる。具体的には、アプリケーションサーバ４０が、構成管理システム２０から分電盤２１０の新規登録の情報を受信し、受信データ処理手段４３が、ＳＯＡＰ（Simple  Object  Access  Protocol）メッセージにより、データ管理サーバ５０の構成管理分電盤マスター６１及び受信キュー６８に、分電盤２１０の新規登録が行われたことを通知する。これにより、電力データ管理システム３０に、分電盤２１０の新規登録が通知されたことになる。なお、受信データ処理手段４３は、図１における共通受信データ処理手段４１と個別受信データ処理手段４２が一体化されて示されている。
【００８０】
また、通知される情報は、分電盤２１０を識別するためのＩＤコードとしての分電盤ＩＤ、分電盤２１０を識別するための分電盤名、三相２００Ｖ／単相２００Ｖ／単相１００Ｖのいずれであるかの分電盤タイプ、分電盤２１０を設置したラック列を示す分電盤２１０の配置場所の情報である。これらは、分電盤２１０自体を特定する情報と、分電盤２１０の位置を特定する情報であり、新規分電盤特定情報と考えてよい。
【００８１】
なお、受信キュー６８は、受信した情報を、先入れ先出しの入出力状態で保持する手段である。受信キュー６８には、分電盤２１０が新規登録されたことが情報登録される。また、構成管理分電盤マスター６１には、受信データ処理手段４３が受信した分電盤２１０の情報が登録される。
【００８２】
次いで、（２）に示すように、第１の構成情報展開処理手段７０が、受信キュー６８をポーリングし、構成管理情報の変更、つまり分電盤２１０の新規登録を検出する。ポーリングは、所定周期で周期的に行われるので、分電盤２１０の新規登録があった場合には、ほぼリアルタイムで分電盤２１０の新規登録が検出される。
【００８３】
第１の構成情報展開処理手段７０が、受信キュー６８から分電盤２１０の新規登録を検出したら、第１の構成情報展開処理手段７０は、構成管理分電盤マスター６１を参照し、新規登録された分電盤２１０の情報を参照する。なお、第１の構成情報展開処理手段７０は、ＣＰＵの機能を有し、プログラムを読み込んで種々の処理を行う点は、図１と同様である。
【００８４】
そして、第１の構成情報展開処理手段７０は、構成管理情報マスターに保存された情報を、関連マスター８０の分電盤マスター８１に展開し、分電盤ＩＤ、分電盤名、分電盤タイプ、分電盤の配置場所の新規分電盤特定情報を設定する。図１において説明したように、構成管理マスター６１に保存されている情報は、構成管理システム２０から送信された情報のコピーであるが、分電盤マスター８１に情報が保存される際に、電力データ管理システム３０がデータ管理を行い易いデータ形式に変換されて情報の設定が行われる。
【００８５】
次いで、（３）に示すように、統合運用システム１０から、アプリケーションサーバ４０に新規に追加される分電盤２１０の個別詳細情報が入力通知される。分電盤の個別詳細情報は、分電盤２１０を識別するためのＩＤコードとしての分電盤ＩＤ、分電盤２１０の実装されるブレーカ２１１、２１２の定格容量や接続相に関する情報を含むブレーカ情報、及び計測ユニット１２０のＩＰアドレスやサブネットマスク等の情報を含む計測ユニット１２０のアドレス情報を含む。
【００８６】
なお、分電盤２１０の個別詳細情報の一部は、受信データ処理手段４３から、直接関連マスター８０のブレーカマスター８２及び計測ユニットマスター８３に通知される。つまり、分電盤２１０の個別詳細情報のうち、ブレーカ情報は、ブレーカマスター８２に受信データ処理手段４３から直接通知される。また、計測ユニット１２０のアドレス情報は、受信データ処理手段４３から、計測ユニットマスター８３に直接通知される。この点は、図１における説明と同様である。
【００８７】
また、個別詳細情報のうち、分電盤ＩＤについては、受信データ処理手段４３から、受信キュー６８に通知される。
【００８８】
次いで、（４）に示すように、第１の構成情報展開処理手段７０が、受信キュー６８をポーリングする。第１の構成情報展開処理手段７０は、所定周期で周期的に受信キュー６８をポーリングしているため、ほぼリアルタイムで、構成管理情報の変更を検出することができる。第１の構成情報展開処理手段７０が、受信キュー６８から、分電盤２１０の個別詳細情報登録を検出したら、第１の構成情報展開処理手段７０は、関連マスター８０のブレーカマスター８２を参照し、新規登録されたブレーカ２１１、２１２の情報を参照する。そして、第１の構成情報展開処理手段７０は、ブレーカ情報を、項目間演算テーブル９１に展開し、追加された分電盤２１０の配電ブレーカ２１２の電力量を合計するための項目間演算式に登録する。
【００８９】
また、第１の構成情報展開処理手段７０は、分電盤２１０の個別詳細情報が新規登録されたことを、展開要求キュー９５に通知して登録する。ここで、展開要求キュー９５は、受信キュー６８と同様に、登録された情報を、先入れ先出しの入出力状態で保持する手段である。新規追加された分電盤２１０の個別詳細情報が登録された場合には、データ収集サーバ１１０に、その内容を展開する必要があるので、展開要求キュー９５に、新規個別詳細情報がある旨を登録する。つまり、データ収集サーバ１１０側で、ポーリングを行えば、新規個別詳細情報を検出可能な状態としている。
【００９０】
次いで、（５）に示されるように、第２の構成情報展開処理手段１１１が、展開要求キュー９５をポーリングする。これにより、データ収集サーバ１１０に関係する構成管理情報の変更を検出することができる。また、第２の構成情報展開処理手段１１１においても、ポーリングは所定周期で周期的に行っているので、構成管理情報の変更が展開要求キュー９５に登録されたら、ほぼリアルタイムで構成管理情報の変更を検出することができる。なお、第１の構成情報展開処理手段７０のポーリングの周期と、第２の構成情報展開処理手段１１１のポーリングの周期は、同じであってもよいし、異なっていてもよい。
【００９１】
第２の構成情報展開処理手段１１１は、計測ユニットマスター８３及び分電盤マスター８１に保存された情報を参照し、計測ユニットのＩＰアドレス情報を、分電盤ＩＤと対応させて紐付けた状態で分電盤管理マスター１１２に展開し、登録する。
【００９２】
また、第２の構成情報展開処理手段１１１は、分電盤マスター８１とブレーカマスター８２を参照し、各ブレーカ２１１、２１２単位で帳票データやトレンドデータの収集定義情報をデータ収集定義登録手段１１４に展開し、登録する。データ収集定義登録手段１１４は、データ管理サーバ５０のデータ保存手段１００において、各データにどのようなＩＤを付して保存するかを定めて定義付ける手段である。新規分電盤２１０の追加に伴い、ブレーカ２１１、２１２が増加し、対応する電力データが増加するので、これを、トレンドデータ保存手段１０１や日報データ保存手段１０２において、どのようにＩＤを割り当てて保存するかを定める必要がある。データ収集定義登録手段１１４は、ブレーカ２１１、２１２単位でＩＤを定義し、定義されたＩＤが付されて、トレンドデータや日報データが保存されるように処理を行う。
【００９３】
更に、第２の構成情報展開処理手段１１１は、ブレーカマスター８２を参照し、追加されたブレーカの計測データとＴＡＧコードの紐付けを、ＴＡＧ収集定義登録手段１１８に登録する。
【００９４】
図７は、ＴＡＧコードの一例を示した図である。図７（ａ）は、ＴＡＧコードの用途及びＴＡＧコードの一例を示した図である。図７（ａ）において、用途は、既設システムでＴＡＧコードが規定されているアナログデータ用の計測ＴＡＧである。このＴＡＧコードは、ブレーカ２１１、２１２単位で定義されるため、分電盤２１０が、１つの主幹ブレーカ２１１と４５個の配電ブレーカ２１２を実装しているとすると、配電ブレーカ２１２の各々に対応させて４５個のＴＡＧコード、また、主幹ブレーカに対しては、計測データが７個あるので、５２個分のＴＡＧコードが定義されることになる。ＴＡＧコードは、接頭辞と数字列で表示され、「９」の箇所には、０〜９の数字が入る。よって、図７（ａ）の場合であれば、例えば、「ＡＮＡ０１００１０１１」のようなＴＡＧコードが定義される。ここで、ＡＮＡの後の２桁の「０１」は「データ収集サーバ番号」、次の３桁の「００１」は「分電盤番号」、次の２桁の「０１」は「ブレーカ番号」、次の１桁の「１」は計測データ番号を意味している。つまり、同じ分電盤に実装されたブレーカであれば、ＴＡＧコードの「ＡＮＡ０１００１」までは共通で、その後の「ブレーカ番号」が「０１〜４６」まで変化し、０１の主幹ブレーカについては、「計測データ番号」が「１〜７」まで変化し、合計５２個分のＴＡＧコードが定義される。
【００９５】
図７（ｂ）は、計測データの属性の一例を示した図である。標準プロパティの４番目の項目に「ＴＡＧＮＡＭＥ」があり、５番目の項目に「ＶＡＬＵＥ」があるが、各々信号名称と計測値データを示している。よって、例えば、「電流」が信号名称であれば、計測値データをアナログ値の数値データとして採りうることになる。ここで、標準プロパティ内の下方は、異常、上限、下限というような、関連する項目が選択され、マッピングがなされている。このように、ＴＡＧコード定義においては、用途に応じた適切な項目が選択され、マッピングがされている。
【００９６】
図８は、ＴＡＧコードの別の一例を示した図である。図８（ａ）は、ＴＡＧコードの用途及びＴＡＧコードの一例を示した図であり、図８（ｂ）は、計測データの属性の一例を示した図である。
【００９７】
図８（ａ）において、用途は、「ブレーカＯＮ／ＯＦＦ＋各種アナログデータ」である。ＴＡＧコードは、図７（ａ）に示した内容とほぼ同様であるが、「Ｄｅｖｉｃｅ」のコードが、図７（ａ）においては、７つのデータ番号をとり得たのに対し、０固定とされている。よって、ブレーカ単位では、１個の主幹ブレーカ２１１と４５個の配電ブレーカの全部で６４個のＴＡＧコードが定義されることになる。
【００９８】
一方、図８（ｂ）の標準プロパティの５番目では、「ＶＡＬＵＥ」のプロパティ名称が示され、プロパティ説明は、「１：ＯＮ、０：ＯＦＦ」と表示されている。このように、ブレーカ２１１、２１２のオン、オフは、デジタル的にデータの記録がなされる。また、製造固有プロパティの項目では、計測値や瞬時値等が項目として挙げられ、関連するデータが記録されるようにマッピングがなされている。
【００９９】
図７及び図８に示したように、電力データの管理のためには、種々の管理を行うための用途があるが、そのような用途に適切なデータを選択し、マッピングすることにより、電力データの管理が容易となる。これらの項目は、数も多く、新規の分電盤２１０の追加があると、新たに電力システムに組み込むのに多大な労力を必要とする。しかし、ＴＡＧ収集定義登録手段１１８により、図７及び図８に示したようなＴＡＧコードを定義しておけば、新たに分電盤２１０が追加されても、新たな分電盤２１０に対応するブレーカ２１１、２１２に対応して、データ収集のためのＴＡＧコードを自動生成することができる。よって、新たに分電盤２１０が追加されても、計測値を、対応して生成された領域に記録してゆけば、システムを停止させることなく、新規のデータを電力データ管理システム３０にリアルタイムで反映させ、電力データ管理を継続することができる。
【０１００】
図６に戻る。図中の（６）に示すように、構成情報の展開処理が終了した後は、通信ライブラリ１１５において、計測ユニット１２０との通信回線の接続の可否の認証が行われる。具体的には、まず、計測ユニット１２０の電源投入後、計測ユニット１２０は、登録されたデータ収集サーバ１１０のＩＰアドレス宛に、ＵＤＰ（User  Datagram  Protocol）にて通信接続要求の電文を送信する。
【０１０１】
次いで、通信ライブラリ１１５は、受信した通信接続要求に対して、分電盤管理マスター１１２に登録されている計測ユニット１２０のＩＰアドレス情報とマッチングを行う。通信接続要求の送信元ＩＰアドレスと、分電盤管理マスター１１２に登録されているＩＰアドレスや認証アドレスに一致する場合のみ、計測ユニット１２０に対して、構成情報を送信する。
【０１０２】
次に、計測ユニット１２０に対して、構成情報が送信されて設定され、計測ユニット１２０とデータ収集サーバ１１０間での通信ネゴシエーションが完了し、データ収集が開始される。
【０１０３】
次いで、（７）に示すように、計測ユニット１２０とデータ収集サーバ１１０との通信確立後、計測ユニットから、電力データを収集する。電力データは、瞬時データと、帳票データとを含んでよい。瞬時データは、ブレーカ２１１、２１２の電流等のアナログデータ、ブレーカ故障等のデジタルデータを含む。この点は、図７及び図８で説明したのと同様である。また、帳票データは、１時間単位で収集・集計されたデータである。
【０１０４】
次に、図中の（８）に示すように、収集した瞬時データ・帳票データをデータ管理サーバ５０のデータ保存手段１００に保存するデータ保存処理が行われる。データ保存処理は、データ保存処理手段１１６により行われてよい。また、データ保存処理手段１１６は、ＣＰＵとしての機能を有してよい。データ保存手段１００への保存に際しては、データ収集定義登録手段１１４により定められたデータ収集定義に従ってデータ保存処理を行う。
【０１０５】
また、データの保存対象としては、トレンドデータと日報データがある。トレンドデータは、指定されたサンプリング周期で瞬時データを取得し、トレンドデータ保存手段１０１に保存される。また、日報データは、日集計を含む時間データが、日報データ保存手段１０３に保存される。
【０１０６】
なお、上述のように、データ収集定義には、分電盤２１０に実装されたブレーカ２１１、２１２の電流、電力量等の各情報について、データＩＤを何番で保存する等が定義されており、その定義情報に基づいて、データ収集・保存が行われる。
【０１０７】
次に、図中の（９）に示すように、瞬時データ送信手段１１７により、瞬時データの送信が行われる。瞬時データの送信は、データ管理サーバ５０のブロードキャストサーバ１０５に、収集した瞬時データが送信されることにより行われる。瞬時データは、ＴＡＧ収集定義に従って行われる。ＴＡＧ収集定義には、どのアドレスのどのデータを、どのＴＡＧコードで送信するかが記述されているので、その情報に従って瞬時データの送信を行う。ブロードキャストサーバ１０５は、例えば、パッケージソフトとして提供されてもよい。この場合、ブロードキャストサーバ１０５は、瞬時データ送信手段１１７から受信した各瞬時データを、パッケージソフトに割り当てられたメモリ領域上に保存して管理する。このときの瞬時データの保存は、瞬時データ送信手段１１７により送信された通り、ＴＡＧコードをキー情報として登録され、管理される。また、この場合、パッケージソフトは、図示しない画面処理用のＡＰＩ（Application  Program  Interface）を備えてよい。統合運用システム１０から瞬時データ表示の要求があった場合には、画面処理用のＡＰＩにより、ＴＡＧコードをキーにデータアクセスを行い、瞬時データを取得して、画面にデータ表示を行うことができる。
【０１０８】
次に、図中の（１０）に示すように、項目間演算処理手段９６により、収集された帳票データ（日報等）から、情報を加工して新たなデータを作成する項目間演算が行われる。項目間演算は、項目間演算テーブル９１を展開することにより、行われてよい。
【０１０９】
項目間演算は、例えば、分電盤２１０の新規追加時には、新規追加した分電盤２１０の各配電ブレーカ２１２の有効電力量の合計値及び無効電力量の合計値の演算情報を追加する演算を含む。
【０１１０】
なお、項目間演算テーブル９１の展開においては、各演算内容がどの階層の演算式に該当するのかをブレーカマスター８３を含む関連マスター８０から判断し、演算順位を自動設定している。これは、図４において説明したように、サイト（電力供給施設１５０）の電力量は、フロア１６０の電力量の合計であり、フロア１６０の電力量の合計は、サーバ室１６１〜１６３の電力量の合計であり、各サーバ室１６１〜１６３の電力量の合計は、エリア１７１〜１７３の電力量の合計から算出される関係を考慮した演算順位を意味する。つまり、この場合、サーバ室１６１〜１６３、フロア１６０、サイト１５０の順序で項目間演算を実施する必要がある。このような演算順位を、展開ツールである項目間演算テーブル９１でルール化して実装することで、自動展開を実現している。
【０１１１】
次に、図中の（１１）に示すように、ＳＯＡにより統合運用システム１０からのデータ参照要求があった場合には、電力データ管理システム３０で管理する帳票データ及びトレンドデータについて、データ参照サービスを提供する。また、統合運用システム１０から指定されたデータ種類（日報、トレンド等）と対象データ（どの分電盤か）に対して、データ応答を行う。その際、関連マスター８０に設定された情報から、日報、月報等のデータを収集して応答してよい。
【０１１２】
次に、フローチャートを用いて、本実施例に係る電力データ管理システム３０の処理フローについて説明する。
【０１１３】
図９は、新規分電盤２１０が追加され、計測ユニット１２０との新規分電盤２１０との対応付けがなされ、電力データ管理システム３０に新規分電盤２１０が組み込まれるまでの処理フローを示した図である。
【０１１４】
図９において、ステップ３００では、アプリケーションサーバ４０に、分電盤２１０の新規追加情報が入力される。入力は、統合運用システム１０から、構成管理システム２０を介して、ＳＯＡＰメッセージにより入力されてよい。新規追加情報には、追加された分電盤２１０を特定する分電盤ＩＤと、分電盤２１０の配置情報が含まれ、追加される新規分電盤を特定する。アプリケーションサーバ４０は、データ管理サーバ５０の構成管理分電盤マスター６１に、構成管理システム２０から受信した分電盤２１０の新規追加情報を登録するとともに、受信キュー６８に、分電盤２１０の新規登録があったことを登録する。
【０１１５】
ステップ３１０では、第１の構成情報展開処理手段７０が、受信キュー６８をポーリングする。ポーリングは、所定周期で、周期的に行われてよい。受信キュー６８から、分電盤２１０の新規追加の情報を検出したら、ステップ３２０に進む。
【０１１６】
ステップ３２０では、第１の構成情報展開処理手段７０が、構成管理分電盤マスター６１を参照し、登録された情報を、分電盤マスター８１に展開して設定登録する。構成管理分電盤マスター６１においては、上位システムの構成管理システム２０の情報がそのままコピーされるだけであるが、分電盤マスター８１には、電力データ管理システム３０がデータ管理を行いやすいデータ形式の状態で登録が行われる。
【０１１７】
ステップ３３０では、統合運用システム１０から、アプリケーションサーバ４０に、新規追加された分電盤２１０の個別詳細情報が入力される。この場合には、構成管理システム２０を介さずに、統合運用システム１０から直接的に個別詳細情報が入力される。個別詳細情報は、分電盤ＩＤと、分電盤２１０に実装されたブレーカ２１１、２１２の情報と、分電盤２１０の計測を行う計測ユニット１２０のアドレス情報を含んでいる。
【０１１８】
アプリケーションサーバ４０においては、受信した個別詳細情報の解析を行い、情報を分類して、データ管理サーバ５０の所定の箇所に、分類した個別詳細情報の各々を登録する。具体的には、分電盤ＩＤ情報は受信キュー６８に登録され、ブレーカ情報は関連マスター８０のブレーカマスター８２に登録され、計測ユニット１２０のアドレス情報は、計測ユニットマスター８３に登録される。分電盤２１０の内容に関する情報（ブレーカ情報）と、分電盤２１０の関連設備の情報（計測ユニットのアドレス情報）が、関連マスター８０に追加されることになる。
【０１１９】
ステップ３４０では、第１の構成情報展開処理手段７０が、受信キュー６８をポーリングし、分電盤２１０の新規登録があり、構成管理情報が変更されたことを検出する。この場合も、ポーリングは、所定周期で周期的に行われてよく、分電盤２１０の新規登録があったことを、ほぼリアルタイムで検出することができる。
【０１２０】
ステップ３５０では、第１の構成情報展開処理手段７０が、ブレーカマスター８２を参照し、展開要求キュー９５に、新規登録された分電盤２１０の個別詳細情報の登録があった旨を登録するとともに、項目間演算テーブル９１にブレーカ情報を展開して登録する。ブレーカマスター８２に、新規のブレーカ情報が登録されたということは、計測ユニット１２０との紐付けが必要な新たな分電盤２１０が追加されたということを意味するので、データ収集サーバ１１０で構成情報展開を行わせるべく、展開要求キュー９５に、個別詳細情報の新規追加があった旨を登録する。また、ブレーカ情報が追加されたことにより、階層的な電力データの管理を行う項目間演算テーブル９１に新規のブレーカ２１１、２１２を追加し、これらを含めて階層的な電力データ管理を行えるように自動登録する。
【０１２１】
ステップ３６０では、第２の構成情報展開処理手段１１１が、展開要求キュー９５をポーリングし、追加された新規の分電盤２１０に関係するブレーカ情報、計測ユニット情報の変更があったことを検出する。ポーリングは、所定周期で、周期的に行われてよく、これにより、ほぼリアルタイムで情報変更を検出することができる。
【０１２２】
ステップ３７０では、第２の構成情報展開処理手段１１１が、分電盤マスター８１、ブレーカマスター８２及び計測ユニットマスター８３を参照し、分電盤２１０のＩＤと計測ユニット１２０のＩＰアドレスとの紐付け情報を、分電盤管理マスター１１２に登録する。また、第２の構成情報展開処理手段１１１は、ブレーカ２１１、２１２単位で、データ収集定義登録手段１１４に、帳票データや、トレンドデータの収集定義情報を登録する。更に、第２の構成情報展開処理手段１１１は、追加されたブレーカ２１１、２１２とＴＡＧコードの紐付け情報を、ＴＡＧ収集定義登録手段１１８に登録する。
【０１２３】
ステップ３８０では、通信ライブラリ１１５が、計測ユニット１２０からの通信接続要求を受けて、分電盤管理マスター１１２に保存されている追加された分電盤２１０が接続されるべき計測ユニットのＩＰアドレス情報との照合を行い、一致したら、計測ユニット１２との通信を開始し、処理フローを終了する。これにより、新規に追加された分電盤２１０の電力データの計測が可能となる。
【０１２４】
このように、本実施例に係る電力データ管理システム３０によれば、分電盤２１０の新規追加があった場合に、自動的に、ほぼリアルタイムに、電力データ管理システム３０に組み込むことができる。
【０１２５】
次に、図１０を用いて、データ収集後の処理フローについて、フローチャートを用いて説明する。図１０は、本実施例に係る電力データ管理システム３０のデータ収集後の処理フローの一例を示したフローチャートである。
【０１２６】
ステップ４００では、計測ユニット１２０により、ブレーカ２１１、２１２単位でデータ収集が行われる。データ収集は、瞬時データと、１時間毎の帳票データについて行われてよい。
【０１２７】
ステップ４１０では、データ保存処理手段１１６により、収集されたデータの保存処理が行われる。データの保存は、データ管理サーバ５０のデータ保存手段１００に、データ収集定義登録手段１１４に登録されたデータ収集定義に従って行われる。
【０１２８】
ステップ４２０では、瞬時データ送信手段１１７により、瞬時データのブロードキャストサーバ１０５への送信が行われる。このとき、瞬時データは、ＴＡＧ収集定義登録手段１１８に登録されたＴＡＧ収集定義に従い、送信される。ブロードキャストサーバ１０５は、例えば、パッケージソフトとして提供されてよく、パッケージソフトに割り当てられたメモリ領域上で、受信した瞬時データを管理してよい。
【０１２９】
ステップ４３０では、項目間演算処理手段９６により、階層的な電力データ管理に必要な項目間演算が行われる。項目間演算は、項目間演算テーブル９１を用いて行われる。これにより、項目間の演算順序が自動設定され、階層的な電力データ管理が自動的に継続可能となる。
【０１３０】
ステップ４４０では、統合運用システム１０から、データ参照要求が行われる。データ参照要求は、ユーザから、統合運用システム１０を介して、任意のタイミングで行われてよい。また、統合運用システム１０からのデータ参照要求は、ＳＯＡにより行われてよい。
【０１３１】
ステップ４５０では、ステップ４４０のデータ参照要求に応答し、統合運用システム１０から要求のあったデータを提供して応答する。帳票データ、トレンドデータ、日報データ等の要求に応じて対応するデータを提供し、処理フローを終了する。また、瞬時データについては、ブロードキャストサーバ１０５のパッケージソフトにより提供される画面処理用のＡＰＩによりデータアクセスが行われ、瞬時データを提供するようにしてよい。
【０１３２】
電力データは、ブレーカ２１１、２１２単位で集計されているので、ユーザがより詳細な情報を知りたい場合には、それに対応して電力データを提供することが可能となり、電力データの詳細がユーザに見える形でデータ提供を行うことができる。
【０１３３】
このように、本実施例に係る電力データ管理システムによれば、ブレーカ２１１、２１２等の詳細な単位で、電力データを統合運用システム１０に提供することができ、電力データ管理をきめ細かく行うことができる。
【０１３４】
また、分電盤２１０の新規追加があった場合には、リアルタイムで自動的に新規追加の分電盤２１０の電力データを電力データ管理システム３０に反映させることができ、システムを停止させたり、システムに新たな分電盤２１０の追加を行うためのエンジニアリング作業を不要としたりすることができる。
【０１３５】
なお、本実施例においては、分電盤２１０を追加する場合を例に挙げて説明したが、例えば、分電盤２１０に実装されているブレーカ２１１、２１２の定格を変更したりするような場合には、分電盤マスター８１は変更を加えずに、ブレーカマスター８２の情報だけ変更を加え、あとは分電盤２１０を追加する処理と同様の処理を行うようにすればよい。
【０１３６】
また、分電盤２１０を削除する場合には、分電盤マスター８１に、不使用を意味する削除フラグを立てて書き込むような処理を行い、分電盤管理マスター１１２を経て、計測ユニット１２０との通信を電気的に切断するような処理を行うようにすればよい。
【０１３７】
また、本実施例においては、分電盤２１０の追加・変更・削除についての内容を中心に説明したが、図１において説明したように、ラック２２０やコンセント２２１の追加、変更、削除についても、同様の自動的な電力データ管理に反映させる処理を行うことができる。
【０１３８】
以上、本発明の好ましい実施例について詳説したが、本発明は、上述した実施例に制限されることはなく、本発明の範囲を逸脱することなく、上述した実施例に種々の変形及び置換を加えることができる。
【産業上の利用可能性】
【０１３９】
本発明は、ＩＴ機器等を含む電気負荷に電力供給を行い、これらの電力データを管理する電力データ管理システムに利用することができる。
【符号の説明】
【０１４０】
１０    統合運用システム
２０    構成管理システム
３０    電力データ管理システム
４０    アプリケーションサーバ
４１、４２、４３    受信データ処理手段
４４    構成管理情報展開手段
５０    データ管理サーバ
６０    構成管理情報マスター
６１    構成管理分電盤マスター
６２    構成管理ラックマスター
６３    構成管理他機器マスター
６４    構成管理配置マスター
６５    構成管理顧客マスター
６６    構成管理電源系統マスター
６８    受信キュー
７０    第１の構成情報展開処理手段
８０    関連マスター
８１    分電盤マスター
８２    ブレーカマスター
８３    計測ユニットマスター
８４    ラックマスター
８５    計測機器マスター
８６    コンセントマスター
８７    配置マスター
８８    顧客マスター
８９    ＵＰＳマスター
９０    バスダクトマスター
９１    項目間演算テーブル
９２    按分演算テーブル
９３    ＰＵＥ演算テーブル
９６    項目間演算処理手段
１００、１０１、１０２、１０３    データ保存手段
１０５    ブロードキャストサーバ
１１０    データ収集サーバ
１１１    第２の構成情報展開手段
１１２    分電盤管理マスター
１１３    ラック管理マスター
１１４    データ収集定義登録手段
１１５    通信ライブラリ
１１６    データ保存処理手段
１１７    瞬時データ送信手段
１１８    ＴＡＧ収集定義登録手段
１２０    計測ユニット
１５０    電力供給施設（サイト）
１６０    ３階フロア
１６１、１６２、１６３    サーバ室
１７１、１７２、１７３    エリア
１８１〜１８９    アイル
１９０    冷送風機
２００    アイル列
２１０    分電盤
２１１    主幹ブレーカ
２１２    配電ブレーカ
２２０    ラック
２２１    コンセント
【図５】
2011065424.tif 000003
【図６】
2011065424.tif 000004
【図９】
2011065424.tif 000005
【図１０】
2011065424.tif 000006
【図１】
2011065424.tif 000007
【図２】
2011065424.tif 000008
【図３】
2011065424.tif 000009
【図４】
2011065424.tif 000010
【図７】
2011065424.tif 000011
【図８】
2011065424.tif 000012